(57)【要約】【課題】握り部の強度を確保することが可能となり、小型化にした場合でも水タンクの容量を増やすことができ、かつ温度上昇を抑制することが可能となり、使い勝手に優れたアイロンを提供する。【解決手段】ヒータにより加熱されるベースと、前記ベースに設けられたスチーム発生用の気化室と、前記ベースの上方に配設された握り部を有する把手と、前記気化室へ供給する水を貯えるタンクとを具備し、前記タンクによって前記握り部の下方への変位を規制したものである。【選択図】  図１
2005021374.tif 000002
【特許請求の範囲】
【請求項１】
ヒータにより加熱されるベースと、前記ベースに設けられたスチーム発生用の気化室と、前記ベースの上方に配設された握り部を有する把手と、前記気化室へ供給する水を貯えるタンクとを具備し、前記タンクによって前記握り部の下方への変位を規制したアイロン。
【請求項２】
ヒータにより加熱されるベースと、前記ベースに設けられたスチーム発生用の気化室と、前記ベースの上方に配設された握り部を有する把手と、前記気化室へ供給する水を貯えるタンクとを具備し、前記タンクによって前記握り部の上方への変位を規制したアイロン。
【請求項３】
把手に握り部を支持する支持部を設け、前記握り部は前記支持部から前後方向に延設して、その開放側の端部をタンクの受け部により支持するようにした請求項１または２記載のアイロン。
【請求項４】
受け部を握り部の前部または後部に設けた請求項１〜３のいずれか１項に記載のアイロン。
【請求項５】
タンクを着脱自在に設け、前記タンクを装着した状態に保持するロック装置を前記タンクの受け部と握り部とで構成した請求項１〜４のいずれか１項に記載のアイロン。
【請求項６】
タンク内の水を気化室または外部に吐出するポンプ装置を設けるとともに、前記タンクの後部を握り部の下方に対向させて設け、前記タンクの後部に前記ポンプ装置の吸水部を設けた請求項１〜５のいずれか１項に記載のアイロン。
【請求項７】
ベースを任意の温度に調節する温度調節部を握り部の後部を支持する支持部に設けた請求項１〜６のいずれか１項に記載のアイロン。
【請求項８】
温度調節部の操作部を支持部の後方側へ突出させて設けた請求項７記載のアイロン。
【請求項９】
タンクは、把手の握り部を支持する支持部の側方にまで延設した請求項１〜８のいずれか１項に記載のアイロン。
【発明の詳細な説明】
【０００１】
【発明の属する技術分野】
本発明は、衣類等のしわ伸ばしを行なうために使用されるアイロンに関するものである。
【０００２】
【従来の技術】
従来、この種のスチームアイロンは、図４に示すような構成をしていた。以下、その構成について説明する。
【０００３】
図４において、１はアイロン本体であり、下方には内部にヒータ２を配接したベース３を設け、かつ前記ベース３の上方には内部に水を貯えるためのタンク４と、握り部５が設けられている。また６は把手であり、前記ベース３の上方に設けられた断熱板７に固定されており、この把手６により、前記タンク４は所定の位置に固定されている。
【０００４】
タンク４は、上から見た場合、Ｕ字状の形状をしており、把手６に対し前側から着脱自在に取付けられているとともに、取付けられた状態では、アイロン本体１の中央部で把手６を左右両側から囲む形で形成している。また、８は握り部５の前方を支持する支持部ａであり、９は握り部５の後方を支持する支持部ｂであり、１０は握り部５と把手６の上面により形成される利用者が手を挿入する為の開口部である。また、１１はタンクから供給される水をスチームにする気化室である（例えば、特許文献１参照）。
【０００５】
【特許文献１】
特開２００１−２４６１９８号公報（図１）
【０００６】
【発明が解決しようとする課題】
近年、小型軽量化を図ったアイロンが普及しつつあるが、前記従来の構成では、握り部５の強度確保のために、支持部ａ８と支持部ｂ９を把手６で構成するため、タンク４を上から見た場合、Ｕ字状の形状になり、アイロンを小型化にした場合、十分な水量を確保できなかった。加えて開口部１０は利用者がアイロン本体１を操作する際に手を入れる個所であるため、開口部１０の下方を形成するアイロン使用中に温度が上昇しやすくなる把手６に利用者の手が接触しやすく、利用者にとって利用しづらいものとなっていた。
【０００７】
本発明は上記課題を解決するもので、握り部の強度を確保しつつ、かつ十分な水量が得られる、使い勝手に優れたアイロンを提供することを目的とするものである。
【０００８】
【課題を解決するための手段】
上記目的を達成するために、本発明のアイロンは、ヒータにより加熱されるベースと、前記ベースに設けられたスチーム発生用の気化室と、前記ベースの上方に配設された握り部を有する把手と、前記気化室へ供給する水を貯えるタンクとを具備し、前記タンクによって前記握り部の下方への変位を規制したものである。
【０００９】
この構成により、握り部の強度を確保することが可能となり、タンクをＵ字状に形成しなくてもよくなり、小型化にした場合でも水タンクの容量を増やすことができ、かつ開口部下方をタンクで構成することにより温度上昇を抑制することが可能となり、使い勝手に優れたアイロンを提供することを目的とする。
【００１０】
【発明の実施の形態】
本発明の請求項１に記載の発明は、ヒータにより加熱されるベースと、前記ベースに設けられたスチーム発生用の気化室と、前記ベースの上方に配設された握り部を有する把手と、前記気化室へ供給する水を貯えるタンクとを具備し、前記タンクによって前記握り部の下方への変位を規制したことにより、下方に対しての握り部強度を保つことができ、利用しやすいアイロンを提供することができる。
【００１１】
また、本発明の請求項２に記載の発明は、ヒータにより加熱されるベースと、前記ベースに設けられたスチーム発生用の気化室と、前記ベースの上方に配設された握り部を有する把手と、前記気化室へ供給する水を貯えるタンクとを具備し、前記タンクによって前記握り部の上方への変位を規制したことにより、アイロンを上方に持ち上げたときに握り部の強度を保つことができ、利用しやすいアイロンを提供することができる。
【００１２】
また、本発明請求項３に記載の発明は、把手に握り部を支持する支持部を設け、前記握り部は前記支持部から前後方向に延設して、その開放側の端部をタンクの受け部により支持するようにしたことにより、握り部にかかる力が支持部と受け部に分散されるので、握り部のたわみ等がなくなり、使い勝手のよいアイロンを提供することができる。
【００１３】
また、本発明請求項４に記載の発明は、受け部を握り部の前部または後部に設けたことにより、握り部に中央付近に支持部を設けないので、握り部を自由に握ることができ、使い勝手のよいアイロンを提供することができる。そして、使用中に温度が上昇しやすい把手に手が触れることが少なく、タンクの水容量も増大できるので、作業効率の良いアイロンを提供することができる。
【００１４】
また、本発明請求項５に記載の発明は、タンクを着脱自在に設け、前記タンクを装着した状態に保持するロック装置を前記タンクの受け部と握り部とで構成したので、アイロン使用時には握り部から受け部に力がかかることにより、ロック装置が解除しない方向に作用するため、アイロン使用時のタンク外れを防止することができ、使い勝手のよいアイロンを提供することができる。
【００１５】
また、本発明請求項６に記載の発明は、タンク内の水を気化室または外部に吐出するポンプ装置を設けるとともに、前記タンクの後部を握り部の下方に対向させて設け、前記タンクの後部に前記ポンプ装置の吸水部を設けたことにより、握り部下方にも水タンクが設けてあるので、小型化した場合でも水量を増やすことができ、使い勝手のよいアイロンを提供することができる。
【００１６】
また、本発明請求項７に記載の発明は、ベースを任意の温度に調節する温度調節部を握り部の後部を支持する支持部に設けたことにより、誤って温度調節部に触れて温度が変化することがないので、使い勝手のよいアイロンを提供することができる。
【００１７】
また、本発明請求項８に記載の発明は、温度調節部の操作部を支持部の後方側へ突出させて設けたことにより、アイロンを握った状態でも温度調節部が指等に接触することがないので、温度を調節するときの操作性が向上し、使い勝手のよいアイロンを提供することができる。
【００１８】
また、本発明請求項９に記載の発明は、タンクは、把手の握り部を支持する支持部の側方にまで延設したことにより、小型化した場合でも水量を増やすことができ、長時間スチームを利用できるアイロンを提供することができる。
【００１９】
【実施例】
以下、本発明の実施例について、図面を参照しながら説明する。なお、従来例と同じ構成のものは同一番号を付与して説明を省略する。
【００２０】
（実施例１）
図１において、６は握り部５を有する把手であり、ベース３の上方に設けた断熱板７に支持部１２を介して固定されている。４は、気化室へ供給してスチームを発生させる水を蓄えるタンクであり、把手６に対し、アイロン本体１の前方から着脱自在に設けられている。
【００２１】
このタンク４は、把手６の支持部１２から前方向に延設した握り部５の前部である開放側の端部１３を支持する受け部１４と、握り部５の上方に設けた凹部ａ１５と嵌合する凸部ａ１６と、断熱板７前方に設けた凹部ｂ１７と嵌合する凸部ｂ１８を有している。
【００２２】
上記構成において、本発明の実施例１の動作を説明すると、アイロン掛けをする場合に使用者は、アイロン本体１を利用するために、ヒータ２を通電状態にしてベース３が熱せられた状態にてアイロン掛けを開始し、布のしわを伸ばすために、握り部５を介して下方に力を加えたり、必要に応じてアイロン本体１を自在に移動するために握り部５を介して上方に力を加えたりする。
【００２３】
しかしながら、この際、タンク４には握り部５の開放側の端部１３を受ける受け部１４が設けられているため、握り部５の下方への変位を規制することができ、また、握り部５に上方の力が加わった場合でも、握り部５に設けた凹部ａ１５とタンク４の凸部ａ１６、および、断熱板７に設けた凹部ｂ１７とタンク４の凸部ｂ１８がそれぞれ嵌合しているために、握り部５の上方への開き防止となる。
【００２４】
よって、握り部５の強度を確保しつつ、かつ十分な水量を得られる、使い勝手に優れたアイロンを提供することが可能となる。また、開口部１０の下側をタンク４で構成したので、利用時に高温部に触れないアイロンを提供することが可能となる。
【００２５】
なお、この実施例では支持部１２を後方に設けて、握り部５を支持部１２から前方向に延設させたが、支持部１２を前方に設けて、握り部５を後方向に延設させ、タンク４を後方から着脱自在な構成とした場合も、同様の構造が可能で、同様の効果が得られることは言うまでもない。
【００２６】
（実施例２）
本発明の第２の実施例を、同じく図１を用いて説明する。なお従来例及び実施例１と同様の構成の部品については同一の番号を付与して説明を省略する。
【００２７】
タンク４は把手６に対し前側から着脱自在に取付けられており、握り部５の端部１３に受け部１４を保持する爪部２０を設けたロック装置１９を有している。
【００２８】
上記構成において、本発明の実施例２の動作を説明すると、ロック装置１９はタンク４が装着した状態で爪部２０を下方向に保持するように設けてあるので、使用者が布のしわを伸ばすために、握り部５を介して下方に力を加えた場合、タンク４のロック解除を押える方向に力が働くので、良好なロック装置を提供することができ、使い勝手に優れたアイロンを提供することが可能となる。
【００２９】
（実施例３）
本発明の第３の実施例を、図１〜図２を用いて説明する。なお従来例及び実施例１と同様の構成の部品については同一の番号を付与して説明を省略する。
【００３０】
本実施例のアイロンは、タンク４内の水を気化室１１に吐出するホンプ装置２１を設け、タンク４の後部は握り部５の下方に対向させて設けるとともに、タンク４後部中央近傍に突出部２２を設け、突出部２２にホンプ装置２１の吸水部２３を設けている。
【００３１】
上記構成によれば、使用者がアイロン本体１を立てて使用してアイロン掛けを行った場合でも、タンク４の後部に吸水部２３を設けることにより、タンク４内の水を最後まで使用できるため、タンク４内の水を効率よく利用することができ、使い勝手のよいアイロンを提供することができる。加えて、開口部１０の下側をタンク４で構成したので、利用時に高温部に触れないアイロンを提供することが可能となる。
【００３２】
（実施例４）
本発明の第４の実施例を、図１を用いて説明する。なお従来例及び実施例１と同様の構成の部品については同一の番号を付与して説明を省略する。
【００３３】
把手６の支持部１２には、ヒータ２への通電を制御してベース３を任意の温度に調節する温度調節部２４と、温度調節部２４によって調節されるベース３の温度を設定する操作部２５が設けてあり、支持部１２の後方側へ突出させて設けている。
【００３４】
上記構成によれば、操作部２５は支持部１２の後方側へ突出させて設けてあるので、握り部５を握っての作業中に不用意に操作部２５に触れて設定温度が変わってしまうことがなく、設定された温度で効率よくアイロン掛けをすることができる。また、利用時に高温部に触れないアイロンを提供することが可能となる。
【００３５】
（実施例５）
本発明の第５の実施例を、図１〜図３を用いて説明する。なお従来例及び実施例１と同様の構成の部品については同一の番号を付与して説明を省略する。
【００３６】
本実施例は、タンク４を、把手６の握り部５を支持する支持部１２の側方にまで延設させたものである。
【００３７】
上記構成においては、タンク４は支持部１２の側方に延設させてあるので、作業中に不用意にタンク４の延設部に触れることなく、タンク４の水量をさらに多くすることができ、効率よくアイロン掛けをすることができる。
【００３８】
【発明の効果】
以上のように、請求項１に記載の発明によれば、タンクによって握り部を有した把手の下方への変位を規制したので、下方に対しての握り部強度を保つことができ、利用しやすいアイロンを提供することができる。
【００３９】
また、請求項２に記載の発明によれば、タンクによって握り部を有した把手の上方への変位を規制したことにより、アイロンを上方に持ち上げたときに握り部の強度を保つことができ、利用しやすいアイロンを提供することができる。
【００４０】
また、請求項３に記載の発明によれば、把手に握り部を支持する支持部を設け、握り部は支持部から前後方向に延設して、その開放側の端部をタンクの受け部により支持するようにしたことにより、握り部にかかる力が支持部と受け部に分散されるので、握り部のたわみ等がなくなり、使い勝手のよいアイロンを提供することができる。
【００４１】
また、請求項４に記載の発明によれば、受け部を握り部の前部または後部に設けたことにより、握り部に中央付近に支持部を設けないので、握り部を自由に握ることができ、使い勝手のよいアイロンを提供することができる。そして、使用中に温度が上昇しやすい把手に手が触れることが少なく、タンクの水容量も増大できるので、作業効率の良いアイロンを提供することができる。
【００４２】
また、請求項５に記載の発明によれば、タンクを着脱自在に設け、タンクを装着した状態に保持するロック装置をタンクの受け部と握り部とで構成したので、アイロン使用時には握り部から受け部に力がかかることにより、ロック装置が解除しない方向に作用するため、アイロン使用時のタンク外れを防止することができ、使い勝手のよいアイロンを提供することができる。
【００４３】
また、請求項６に記載の発明によれば、タンク内の水を気化室または外部に吐出するポンプ装置を設けるとともに、タンクの後部を握り部の下方に対向させて設け、タンクの後部にポンプ装置の吸水部を設けたことにより、握り部下方にも水タンクが設けてあるので、小型化した場合でも水量を増やすことができ、使い勝手のよいアイロンを提供することができる。
【００４４】
また、請求項７に記載の発明によれば、ベースを任意の温度に調節する温度調節部を握り部の後部を支持する支持部に設けたことにより、誤って温度調節部に触れて温度が変化することがないので、使い勝手のよいアイロンを提供することができる。
【００４５】
また、請求項８に記載の発明によれば、温度調節部の操作部を支持部の後方側へ突出させて設けたことにより、アイロンを握った状態でも温度調節部が指等に接触することがないので、温度を調節するときの操作性が向上し、使い勝手のよいアイロンを提供することができる。
【００４６】
また、請求項９に記載の発明によれば、タンクは、把手の握り部を支持する支持部の側方にまで延設したことにより、小型化した場合でも水量を増やすことができ、長時間スチームを利用できるアイロンを提供することができる。
【図面の簡単な説明】
【図１】本発明の実施例１のアイロンの要部断面図
【図２】本発明の実施例３のアイロンの上面図
【図３】本発明の実施例５のアイロンの側面図
【図４】従来のアイロンの要部断面図
【符号の説明】
２  ヒータ
３  ベース
４  タンク
５  握り部
６  把手
１０  開口部
１１  気化室
１２  支持部
１３  端部
１４  受け部
１５  凹部ａ
１６  凸部ａ
１７  凹部ｂ
１８  凸部ｂ
１９  ロック装置
２０  爪部
２４  温度調節部
２５  操作部
【図１】
2005021374.tif 000003
【図２】
2005021374.tif 000004
【図３】
2005021374.tif 000005
【図４】
2005021374.tif 000006